(57)【要約】  本補聴フィッティング装置は、ウィザード調整入力部（６）と、ウィザード調整入力部（６）に接続された制御部（１３）と、制御部（１３）に接続された調整値メモリ（１４）、ウィザードデータベース（１６）、を備えている。制御部（１３）には、難聴度決定部（１５）が接続されている。難聴度決定部（１５）によって決定した難聴度に基づいて、制御部（１３）は、ウィザードデータベース（１６）から選択したパラメータの値を変更する。
2013057880.tif 000002
【特許請求の範囲】
【請求項１】
難聴者の聴力やウィザード調整を使った調整指示が入力されるウィザード調整入力部と、
前記ウィザード調整入力部に接続された制御部と、
前記制御部に接続され、聴力データや調整値が格納される調整値メモリと、
前記制御部に接続され、複数の階層に対応するウィザード調整を行う際に使用されるパラメータ情報を格納するウィザードデータベースと、
前記制御部に接続され、前記聴力データに基づいて難聴度を決定する難聴度決定部と、
を備え、
前記制御部は、前記難聴度決定部によって決定された難聴度に基づいて、前記ウィザードデータベースから選択された前記パラメータ情報の値を変更する、
補聴フィッティング装置。
【請求項２】
前記ウィザードデータベースには、少なくとも軽度用パラメータ、前記軽度用パラメータよりも難聴度の高い調整用の中度用パラメータ、前記中度用パラメータよりも難聴度の高い調整用の高度用パラメータが収納されている、
請求項１に記載の補聴フィッティング装置。
【請求項３】
前記制御部は、前記難聴度決定部によって決定された難聴度に基づいて、前記ウィザードデータベースから選択した複数の周波数帯のゲインを変更する、
請求項１または２に記載の補聴フィッティング装置。
【請求項４】
前記制御部による補聴フィッティング処理の内容を表示する表示部を、
さらに備えている、
請求項１から３のいずれか１項に記載の補聴フィッティング装置。
【発明の詳細な説明】
【技術分野】
【０００１】
本発明は、補聴器のフィッティング処理を行う補聴フィッティング装置に関するものである。
【背景技術】
【０００２】
従来の補聴フィッティング装置は、入力部、入力部に接続された制御部、制御部に接続された調整値メモリ、表示部を備えていた。
従来の補聴フィッティング装置によって補聴器のフィッティングを行うときは、まず難聴者の聴力を測定し、次に、この聴力を基に算出されたフィッティングデータを補聴器に入力した後、この補聴器を難聴者が装着した状態で、聞こえの確認を行いながら、徐々にフィッティングデータの微調整を行うようになっていた。この微調整は、補聴器を装着した難聴者に評価用の音や音声を聞かせ、その聞こえ方に対する不満を解消するようにフィッティングデータが微調整される。しかし、その作業は、専門の知識と経験を必要とするため、調整作業の経験が浅い調整者にとって困難な作業であった。【０００３】
このような補聴フィッティングの微調整を容易化するための取り組みとして、遺伝的アルゴリズムを使用した補聴フィッティングの自動化がある（特許文献１参照）。しかし、この方法では、聞き比べのために多くの時間を要する等の問題がある。
また、フィッティングには、調整者と難聴者との間のコミュニケーションによる心理的な要因も重要と考えられていることから、フィッティング処理の自動化は進んでいない。【０００４】
そこで、補聴フィッティング処理を自動化するのではなく、調整者と難聴者とが聞こえ方に関するコミュニケーションを取りながら簡単に調整を行う方法として、ウィザード調整が広く利用されている。
このウィザード調整では、予めフィッティング時に難聴者から訴えられる聞こえの課題を階層化し、各々の課題に対する調整方法をデータベース化している、これにより、実際に、フィッティング時に得られる訴えからデータベースを検索するだけで、簡単に調整を行うことができる。
【先行技術文献】
【特許文献】
【０００５】
【特許文献１】特開２００１−１８６５９８号公報
【発明の概要】
【０００６】
一般に、健聴者であっても難聴者であっても、耐えられないと感じる音圧レベルに大きな差はないが、聴力レベルが低下すると、音が聞こえ出す最低音圧レベルが上がることで、難聴者は、健聴者と比べてダイナミックレンジが狭くなることが知られている。
この傾向は、聴力レベルが低くなるほど音が聞こえ出す最低音圧レベルが上がるため、強くなると考えられる。そのため、難聴度が上がると、音のわずかな変化が、健聴者に比べて知覚レベルで大きく感じるという関係がある。
【０００７】
上述したウィザード調整を行うことで、フィッティングに対する経験の少ない者であっても、調整作業が簡単に行えるようになってきた。しかし、ウィザード調整では、補聴器を使用する難聴者の聴力、すなわち難聴度が考慮されていなかった。
このため、ウィザード調整によるパラメータの変化が、軽度の難聴者にとって適切な状態に設定されている場合には、高度の難聴者にとって劇的な変化となり過ぎて適切に調整することができない。
【０００８】
反対に、高度の難聴者にとって適切な変化量が設定された場合には、軽度の難聴者にとっては、その効果を感じることができない。このため、その効果が分かるまで調整を繰り返す必要があった。
従来の補聴フィッティング方法では、以上のように、難聴度に応じて変化する物理的な音圧の変化と知覚レベルの変化との関係により、全ての難聴者にとって適切な調整を行うことは難しい。また、効率的に調整を行うことが難しくなってしまう場合もあった。
【０００９】
本発明は、上記課題を解決するためになされたものであり、難聴度に関わらず、効率よくフィッティング処理を実施することが可能な補聴フィッティング装置を提供することを目的とする。
本発明の補聴フィッティング装置は、ウィザード調整入力部と、制御部と、調整値メモリと、ウィザードデータベースと、難聴度決定部と、を備えている。ウィザード調整入力部は、難聴者の聴力やウィザード調整を使った調整指示が入力される。制御部は、ウィザード調整入力部に接続されている。調整値メモリは、制御部に接続され、聴力データや調整値が格納される。ウィザードデータベースは、制御部に接続され、複数の階層に対応するウィザード調整を行う際に使用されるパラメータ情報を格納する。難聴度決定部は、制御部に接続され、前記聴力データに基づいて難聴度を決定する。そして、制御部は、難聴度決定部によって決定された難聴度に基づいて、ウィザードデータベースから選択されたパラメータ情報の値を変更する。
（発明の効果）
本発明によれば、補聴器を使用する使用者の難聴度にあわせて適切なパラメータの変更を行うことができるため、フィッティング処理の短縮化を図ることができる。
【図面の簡単な説明】
【００１０】
【図１】本発明の実施の形態１に係る補聴フィッティング装置によるフィッティング処理を説明する斜視図。
【図２】図１の補聴フィッティング装置の制御ブロック図。
【図３】図１の補聴フィッティング装置のウィザードの説明図。
【図４】図１の補聴フィッティング装置のウィザードＤＢを示す図。
【図５】図１の補聴フィッティング装置の動作フロー図。
【図６】図１の補聴フィッティング装置による平均聴力算出の説明図。
【発明を実施するための形態】
【００１１】
以下、本発明の一実施形態に係る補聴フィッティング装置について、図面とともに詳細に説明する。
（実施の形態１）
本実施形態のフィッティング装置（補聴フィッティング装置）４は、図１に示すように、補聴器１のフィッティング処理を行う装置であって、入力部（ウィザード調整入力部）６と表示部５とを備えている。そして、フィッティング装置４は、接続ボックス３を介して、補聴器１と接続されている。
【００１２】
なお、補聴器１は、使用者２の左耳、右耳用として別々に用意されるが、図１ではその内の１つとして、右耳用の補聴器を示している。
調整者は、入力部６を介してパラメータの変更等の操作を行い、補聴器１の設定を行う。
図２は、接続ボックス３を介してフィッティング装置４と補聴器１とを接続した状態における制御ブロックを示している。
【００１３】
（補聴器１）
補聴器１は、図２に示すように、マイクロフォン７、Ａ／Ｄコンバータ８、補聴処理部９、Ｄ／Ａコンバータ１０、レシーバ１１、および調整値データ収納部１２を有している。
マイクロフォン７は、音情報を取得する。
【００１４】
Ａ／Ｄコンバータ８は、マイクロフォン７において取得された音情報を、アナログ信号からデジタル信号へと変換して補聴処理部９へ送信する。
補聴処理部９は、Ａ／Ｄコンバータ８から受信したデジタル信号に対して、補聴処理を行う。
Ｄ／Ａコンバータ１０は、補聴処理部９から受信したデジタル信号を、アナログ信号に変換して出力する。
【００１５】
レシーバ１１は、Ｄ／Ａコンバータ１０から出力されたアナログ信号を、使用者２の耳に出力する。
調整値データ収納部１２は、補聴処理部９において使用される補聴パラメータの情報を保存している。
（補聴フィッティング装置４）
補聴フィッティング装置４は、図２に示すように、表示部５、入力部６、制御部１３、調整値メモリ１４、難聴度決定部１５、およびウィザードＤＢ１６を有している。
【００１６】
入力部６は、難聴者の聴力や、ウィザード調整を使った調整指示等が入力される。
表示部５は、図３に示すように、補聴器１の調整画面を表示する。
調整値メモリ１４には、聴力データや調整値が格納される。
難聴度決定部１５は、聴力データに基づいて決定される難聴者の難聴度を決定する。
ウィザードＤＢ１６には、ウィザード調整を行う際に使用されるパラメータ情報が格納されている。
【００１７】
ここで、図４にウィザードＤＢ１６の一例を示す。
ウィザードＤＢ１６には、第１階層で表示するメニュー、第２階層で表示するメニュー、第３階層で表示するメニュー、第３階層で選択されたメニューに対応した調整パラメータ、およびそれぞれの項目に付された管理番号が格納されている。
調整パラメータは、調整する周波数領域、およびその周波数領域のゲインを上げるか下げるかを規定するものであり、その調整幅に関しては格納されていない（図５の調整パラメータ欄には○印を付している）。
【００１８】
（接続ボックス３）
接続ボックス３は、図２に示すように、補聴器書き込み部１７、補聴器読み込み部１８を有している。
補聴器書き込み部１７は、入力部６を介して補聴器１への新たなパラメータの書き込み指示を受け付けると、制御部１３を介して、新たなパラメータを補聴器１の調整値データ収納部１２に格納する。そして、調整値データ収納部１２に新たなパラメータが書き込まれると、補聴器１は、そのパラメータによってマイクロフォン７で得られた音情報をＡ／Ｄコンバータ８、補聴処理部９、Ｄ／Ａコンバータ１０、レシーバ１１へと供給することで、使用者２に提供する。
【００１９】
補聴器読み込み部１８は、使用者２が再調整等のためにフィッティング装置４が設置されている店に来店した際に、調整値データ収納部１２に格納されているパラメータを読み込み、フィッティング装置４に提供する機能を有する。
＜ウィザード機能＞
ここで、本実施形態の補聴フィッティング装置４が採用しているウィザード機能について説明する。
【００２０】
ウィザード機能とは、周知の通り、予めフィッティング時に難聴者から訴えられる課題と各々の課題に対する調整方法を階層化しておき、補聴器１のフィッティング時に難聴者から得られる聞こえに対する不満に基づいて、そのデータベースの階層をたどるだけで簡単に問題を特定し、調整を簡単に行うことができる調整方法である。
補聴フィッティングのためのウィザード調整では、例えば「音声が小さい」といった訴えに対する解決方法は一意に決まらず、複数の解決方法が考えられる。このため、データベースをたどった結果、最後の階層で提示される複数の解決方法の中から調整者がその時々に応じて適切な調整方法を選択し利用する必要がある。
【００２１】
具体的には、難聴者にテスト音声を聞かせた後に得られる「音声が小さく聞こえる」などの評価に基づいて、補聴フィッティング装置で提示される階層メニューをたどり、その問題とその解決方法を特定していく。
まず、第１の階層として提示される「大きい」、「小さい」、「はっきりしない」、「キンキン響く」、「不自然な音がする」などの聞こえ方の選択肢から調整者が適切なものを選択する。
【００２２】
この第１の階層において、例えば、「小さい」が選択された場合には、第２の階層として「音声が小さい」、「女性の声が小さい」、「男性の声が小さい」、「自分の声が小さい」、「小さな音が小さい」等のより詳細な選択肢が提示され、その中から調整者が適切な選択肢を選択する。
さらにここで、「音声が小さい」が選択されると、第３の階層として「音声帯域の利得を上げる」、「全周波数の利得を上げる」、「低域の周波数を上げる」等の調整内容の選択肢が提示される。
【００２３】
そして、第３の階層において「音声帯域の利得を上げる」が選択された場合には、音声帯域に相当する周波数帯域のゲインを上げるような調整を行う。
このような、第１の階層から第３の階層までの補聴ウィザードの一連の流れを、テスト音声を聞きながら繰り返すことで、調整パラメータを漸進的に改善しながら最終のフィッティングデータを確定させることができる。
【００２４】
＜フィッティング装置４の動作＞
本実施形態のフィッティング装置４の動作について、図５に示す動作フローを用いて以下で説明する。
ＳＴＥＰ１では、処理が開始される。
次に、ＳＴＥＰ２で難聴者の聴力を測定し、入力部６を介してフィッティング装置４に聴力データを入力する。入力された聴力データは、補聴フィッティング装置４の調整値メモリ１４に格納される。
【００２５】
ＳＴＥＰ３では、上述した通り、得られた聴力データに基づいて、難聴度決定部１５が難聴度を特定する。
なお、難聴度の分類には幾つかの方法があるが、例えば、日本医師会雑誌２０００年３月１５日（第１２３巻・第６号）「補聴器の適応と適合検査」の論文では、大きく軽度難聴（平均聴力レベルが２６〜３９ｄＢ）、中度難聴（平均聴力レベルが４０〜６９ｄＢ）、高度難聴（平均聴力レベルが７０ｄＢ以上）のように３段階に分類されている。
【００２６】
難聴度合いを算出する方法としては、３分法や４分法などの手法があり、例えば、３分法では、周波数帯域を５００Ｈｚで知覚される聴力レベルをＡ、１ＫＨｚで知覚される聴力レベルをＢ、２ＫＨｚで知覚される聴力レベルをＣとすると、下記計算式（１）によって平均聴力レベルが算出される。
平均聴力レベル＝（Ａ＋Ｂ＋Ｃ）／３・・・・・（１）
関係式（１）によって算出された平均聴力レベルが、２６〜３９ｄＢの範囲であれば軽度難聴、４０〜６９ｄＢの範囲であれば中度難聴、７０ｄＢ以上であれば高度難聴として特定される。
【００２７】
ここで、特定された難聴度に対して、ウィザードＤＢ１６に格納された調整パラメータの調整幅は、例えば、軽度難聴の場合は５ｄＢ、中度難聴な場合は３ｄＢ、高度難聴の場合は１ｄＢとして取り扱われる。
健聴者が音の変化に気づくには、経験的に５ｄＢ程度の違いが必要であること、また、高度難聴者の場合には、１ｄＢの音の変化でも大きく変わったと訴えることがあることから、以上のように設定されることが望ましい。
【００２８】
図６は、初期フィッティングで得られた使用者２の聴力特性を現している。
なお、本実施形態では、５００Ｈｚが３０ｄＢＨＬ、１ＫＨｚが３５ｄＢＨＬ、２ＫＨｚが４０ｄＢＨＬであり、上記計算式を用いると、
（３０＋３５＋４０）／３＝３５ｄＢＨＬ
となる。
【００２９】
つまり、本実施形態の使用者２に関しては、平均聴力レベルが３５ｄＢであるため、２６〜３９ｄＢの範囲に入っており軽度難聴と判定される。
次に、ＳＴＥＰ４では、ＳＴＥＰ２で入力された聴力データに基づいて、ＮＡＬ−ＮＬ１，ＤＳＬ，ＦＩＧ．６，ＩＨＡＦＦ等のよく知られたフィッティング理論によって初期フィッティングパラメータを求め、調整値メモリ１４に格納する。
【００３０】
ＳＴＥＰ５では、使用者２に聞こえの確認を行い、使用者２が調整に満足した場合には、ＳＴＥＰ８に移動し、調整を終了する。一方、使用者２が調整に満足しない場合には、ＳＴＥＰ６のウィザード調整に進む。
ウィザード調整のステップは、さらにＳＴＥＰ６−１からＳＴＥＰ６−４を有している。
【００３１】
ＳＴＥＰ６−１からＳＴＥＰ６−３では、ＳＴＥＰ５の聞こえの確認で得られた、例えば、“音声が小さく聞こえる”というような聞こえに対する使用者２の訴えに基づいて、ウィザードＤＢから対応する課題とその解決方法を特定する。
図３は、このときの様子を示している。
ＳＴＥＰ６−１において、”音声が小さく聞こえる”という使用者２の訴えに基づいて、第１階層（図３の第１階層入力１９）の中から適切なものを調整者が選択する。
【００３２】
図３に示すように、“小さい”が選択されると、第２階層（図３の第２階層入力２０）には、第１階層の「小さい」に対応した「音声が小さい」、「女性の声が小さい」、「男性の声が小さい」、「自分の声が小さい」、「小さな音が小さい」等のより詳細な選択肢が提示される。
ここで”音声が小さく聞こえる”という使用者２の訴えに基づいて、「音声が小さい」が選択されると、第３階層（図３の第３階層入力２１）に「音声が小さい」という課題を解決するための調整方法である「音声帯域の利得を上げる」、「全周波数の利得を上げる」、「低域の周波数を上げる」などの選択肢が提示される。
【００３３】
そして、第３階層において、調整者が「音声帯域の利得を上げる」という選択した場合には、ＳＴＥＰ６−４において、補聴器にパラメータを書き込み、調整者は、使用者２に確認してもらうために適用ボタン２２を押下する。
これにより、音声帯域に相当する周波数帯域のゲインを上げるような調整が行われ、補聴器に書き込まれる。
【００３４】
具体的には、ウィザードＤＢ１６において“音声が小さい”という課題で、その解決策である“音声帯域の利得を上げる”に対応する項目である図４に示すＮｏ６−１の調整パラメータに格納されている５００Ｈｚ，１ＫＨｚ，２ＫＨｚのゲインを上げるようにする。
ここで、調整幅は、ＳＥＴＰ３の難聴度算出ステップで求めた難聴度に応じて制御部１３において制御され５００Ｈｚ，１ＫＨｚ，２ＫＨｚのゲインをそれぞれ５ｄＢ上げるようにする。
【００３５】
本実施形態の補聴フィッティング装置４では、以上のように、難聴度に応じて調整幅を決定してパラメータを変更する。
これにより、従来のように難聴度合いに関わらず一律で利得を変化させた場合と比較して、例えば、軽度難聴の場合、５ｄＢ程度変化させることにより、その効果を適度に認識することができる。
【００３６】
仮に、高度難聴者に対して同様の変化幅を適用すると、変化が大きすぎて必要以上に大きな音を入力してしまう可能性がある。また、これとは逆に、高度難聴者に合わせて１ｄＢ程度の変化を選択してしまうと、軽度難聴者の場合、その効果を感じるために、同様のウィザード調整の操作を５回行わなければならない。よって、フィッティングの作業効率が著しく異なってくる問題がある。
【００３７】
続いて、ステップ７では、ウィザード調整の確認を行う。一方、調整が十分のときはＳＴＥＰ８で終了し、そうでない場合は、再度、ＳＴＥＰ６のウィザード調整を行う。
上記の通り、本実施形態の補聴フィッティング装置４において提供されるウィザード調整の方法を採用することにより、微小な調整幅では違いが知覚しにくい軽度難聴者の場合には、調整幅を大きくし、少しの調整幅で大きな変化として知覚される高度難聴者の場合には調整幅を小さくすることで、効果的に調整の効果を確認することができる。
【００３８】
この結果、フィッティング作業の効率を向上し、フィッティングの時間を短縮することができる。
また、フィッティング作業において重要な使用者２の心理的な側面においても好適な作用を有する。
なお、本実施形態では、ウィザードＤＢ１６にはパラメータ調整幅を格納しない方法について説明したが、本発明はこれに限定されるものではない。
【００３９】
例えば、予め各難聴度合いに応じて、パラメータ調整幅を格納した複数のウィザードデータベースを保存しておいてもよい。
【産業上の利用可能性】
【００４０】
本発明によれば、使用者の難聴度合いに関わらず、フィッティング作業を効率化して、フィッティング作業時間を短縮することができるという効果を奏するものであることから、補聴フィッティング装置として広く活用が期待される。
【符号の説明】
【００４１】
１      補聴器
２      使用者
３      接続ボックス
４      フィッティング装置（補聴フィッティング装置）
５      表示部
６      入力部（ウィザード調整入力部）
７      マイクロフォン
８      Ａ／Ｄコンバータ
９      補聴処理部
１０      Ｄ／Ａコンバータ
１１      レシーバ
１２      調整値データ収納部
１３      制御部
１４      調整値メモリ
１５      難聴度決定部
１６      ウィザードＤＢ（ウィザードデータベース）
１７      書き込み部
１８      読み込み部
１９      第１階層入力
２０      第２階層入力
２１      第３階層入力
２２      適用ボタン
【図１】
2013057880.tif 000003
【図２】
2013057880.tif 000004
【図３】
2013057880.tif 000005
【図４】
2013057880.tif 000006
【図５】
2013057880.tif 000007
【図６】
2013057880.tif 000008
【国際調査報告】
2013057880.tif 000009
2013057880.tif 000010